(57)【要約】【課題】  暗所において裏面から見ても適切に利用できる磁気コンパスを提供する。【解決手段】  磁気コンパス１は、表面と裏面を貫通する開口部１２を有する筐体１０，１１と、磁針１５と、開口部１２に配置され、透明部材からなり、表面側に磁針１５を回動可能に軸支する方位表示文字盤１４と、方位表示文字盤１４の側面より照明する光源１７とを備える。これにより、暗所において表面からだけでなく裏面から見ながら方位を確認することができる。【選択図】  図１
2015034790.tif 000002
【特許請求の範囲】
【請求項１】
表面と裏面を貫通する開口部を有する筐体と、
磁針と、
前記開口部に配置され、透明部材からなり、表面側に磁針を回動可能に軸支する方位表示文字盤と、
前記方位表示文字盤の側面より照明する光源と
を備える方位測定器。
【請求項２】
前記磁針は、裏面の一端が前記光源の照射する波長の光を反射しやすい色に着色され、裏面の他端が前記光源の照射する波長の光を反射しにくい色に着色されている
ことを特徴とする請求項１に記載の方位測定器。
【請求項３】
前記光源は、赤色光源であり、
前記磁針は、裏面の一端が赤色に着色され、他端が寒色又は暗色に着色されている
ことを特徴とする請求項２に記載の方位測定器。
【請求項４】
前記磁針は、表面の一端が赤色に着色され、他端が寒色又は暗色に着色されている
ことを特徴とする請求項３に記載の方位測定器。
【請求項５】
前記光源は、赤色ＬＥＤである
ことを特徴とする請求項３又は４に記載の方位測定器。
【請求項６】
前記方位表示文字盤は、裏面側に文字が印字されている
ことを特徴とする請求項１乃至５のいずれか一つに記載の方位測定器。
【請求項７】
前記筐体は、裏面側の開口部周囲に方位基準目印を有する
ことを特徴とする請求項１乃至６のいずれか一つに記載の方位測定器。
【発明の詳細な説明】
【技術分野】
【０００１】
本発明は、磁針を用いる方位測定器に関する。
【背景技術】
【０００２】
方位測定器としては、例えば、地磁気に反応して南北を指し示す磁針を有する磁気コンパスがある。このような磁気コンパスを暗い場所で用いる場合に、磁針と方位表示文字が見にくくなるため、特許文献１に記載されているような、ＬＥＤ（Ｌｉｇｈｔ  Ｅｍｉｔｔｉｎｇ  Ｄｉｏｄｅ）光源により上方から磁針や方位表示文字を照明するものがある。  このような磁気コンパスは、例えば、天体観測等の暗い場所で、星座早見盤の中心となる北極星を探す際に用いることができる。
【先行技術文献】
【特許文献】
【０００３】
【特許文献１】実用新案登録第３１６２３７１号
【発明の概要】
【発明が解決しようとする課題】
【０００４】
しかしながら、特許文献１に記載の技術では、天体観測等の暗い場所において方位を確認する際に、夜空や星座早見盤を見上げながらコンパスを確認することができず、一旦地面の方に視線を落とさなければならないといった不便が生じる。
【０００５】
言い換えると、上述のような磁気コンパスは、地面を下として上方から覗き込む形で用いられるものであるため、天体観測等には適さない。
【０００６】
本発明はかかる課題に鑑みてなされたものであり、その目的は、夜空を見上げながら方位確認を容易とする方位測定器を提供することを目的とする。
【課題を解決するための手段】
【０００７】
本発明のある態様は、表面と裏面を貫通する開口部を有する筐体と、磁針と、開口部に配置され、透明部材からなり、表面側に磁針を回動可能に軸支する方位表示文字盤と、方位表示文字盤の側面より照明する光源とを備えることを特徴とする。
【０００８】
このような態様によると、方位表示文字盤が透明部材からなるため方位表示文字と磁針を裏面から見ることができ、方位表示文字盤の側面から光源により照明されるため方位表示文字盤全体が表面及び裏面ともに明るくなるため、裏面から見た場合でも適切に方位表示文字と磁針が照明され、夜空を見上げながら方位確認を容易とすることができる。
【０００９】
本発明のある態様は、更に、磁針は、裏面の一端が光源の照射する波長の光を反射しやすい色に着色され、裏面の他端が前記光源の照射する波長の光を反射しにくい色に着色されていることを特徴とする。
【００１０】
このような態様によると、磁針の裏面に光源からの光が到達した際に、磁針の裏面の他端において光源から到達した光が反射されにくくなり、磁針の一端と他端とが識別しやすくなることで、南北の確認を容易にすることができる。
【００１１】
本発明のある態様は、更に、光源は、赤色光源であり、磁針は、裏面の一端が赤色に着色され、他端が寒色又は暗色（一端側の赤色よりも暗い色を示す、以下に同じものとする。）に着色されていることを特徴とする。
【００１２】
このような態様によると、磁針の裏面に照射される光によって磁針の一端と他端とがともに赤色に見えることを防止し、磁針の一端と他端とが識別しやすくなることで、南北の確認を容易にすることができる。
【００１３】
本発明のある態様は、更に、磁針は、表面の一端が赤色に着色され、他端が寒色又は暗色に着色されていることを特徴とする。
【００１４】
このような態様によると、磁針の表面と裏面とが同一の色で着色されることとなり、磁針の着色加工を容易にすることができる。
【００１５】
本発明のある態様は、更に、光源は、赤色ＬＥＤであることを特徴とする。
【００１６】
このような態様によると、暗所作業に適した赤色光を用いることにより天体観測等に最適な方位測定器となり、またＬＥＤを用いることにより消費電力を少なくすることができるため容量の小さい電池にて駆動することができるとともに小型化を達成することができる。
【００１７】
本発明のある態様は、更に、方位表示文字盤は、裏面側に文字が印字されていることを特徴とする。
【００１８】
このような態様によると、方位測定器を裏面から見た場合であっても方位を示す文字が認識しやすくなる。
【００１９】
本発明のある態様は、更に、筐体は、裏面側の開口部周囲に方位基準目印を有することを特徴とする。
【００２０】
このような態様によると、方位測定器を裏面から見た場合であっても、方位基準目印によって方位の認識がしやすくなる。
【発明の効果】
【００２１】
本発明によると、方位表示文字盤が透明部材からなるため方位表示文字と磁針を裏面から見ることができ、また、方位表示文字盤の側面から光源が照明するため、表面から見た場合だけでなく裏面から見た場合でも適切に方位表示文字と磁針が照明されるため夜空を見上げながら方位確認を容易とすることができる。
【発明を実施するための形態】
【００２２】
以下、本発明を方位測定器の一つである磁気コンパスに適用した例を用いて説明する。
【００２３】
まず、磁気コンパスについて図１乃至図７を用いて簡単に説明する。図１は、磁気コンパス１を表面から見た平面図であり、図２は、磁気コンパス１を裏面からみた平面図である。また、図３は、図１の右側から見た側面図であり、図４は、図１のＡ−Ａ´線における断面図である。また、図５は、図１の上側からみた側面図であり、図６は、図１のＢ−Ｂ´線における断面図である。なお、図７は、後述する方位文字表示盤１４を示す平面図である。
【００２４】
磁気コンパス１は、図１乃至図６に示すように、全体として平坦で丸みを帯びた側面を有する上側筐体１０と下側筐体１１とからなる筐体を有している。
【００２５】
上側筐体１０と下側筐体１１とは、筐体を表面から裏面に貫通する略円形の開口部１２を有し、上側筐体１０と下側筐体１１とが対向するように接続されている。
【００２６】
また、磁気コンパス１は、開口部１２に回動可能に配設される略円筒形のリング部１３と、リング部１３と円筒底面で接続され方位を示す文字や目盛が表示される方位表示文字盤１４と、磁気を付加された磁針１５と、方位表示文字盤１４の中央の表面側に磁針１５を支持する支軸１６とを備える。
【００２７】
また、磁気コンパス１は、図１及び図４に示すように、光源１７と、図４に示すように、光源１７を駆動する電池１８と、図２及び図４に示すように、電池１８を筐体内に封止する電池蓋１９と、図１に示すように、光源１７の駆動をオン／オフするスイッチ２０とを備えている。なお、光源１７、電池１８及びスイッチ２０の電気的な接続配線は、図示を省略しているが、当然に電気的に接続されていることは言うまでもない。また、図４において、光源１７は、上側筐体１０を透視して見た状態で表記されているが、図４との関係で上側筐体１０と下側筐体１１の間、即ち筐体内部に配設されていることは言うまでもない。
【００２８】
上側筐体１０及び下側筐体１１は、遮光部材で作られており、内部に配設される光源１７の光が直接筐体の外部に出ないように構成されている。材質としては、上記特性を勘案したものを用いることができるが、成形が容易であることと軽量であることから例えば、黒色のＡＢＳ樹脂を用いることが好ましい。なお、電池蓋１９についても、同材質で作るものとするが、特に限定されるものではない。
【００２９】
下側筐体１１は、図２に示すように、開口部１２の周囲に方位基準目印２１が４つ設けられている。なお、方位基準目印２１については詳細を後述する。また、下側筐体１１は、ネジ穴２２を複数有しており、図示しないネジ等によって上側筐体１０と固定される。また、電池蓋１９は、ネジ穴２３を有しており、図示しないネジ等によって下側筐体１１と固定される。
【００３０】
リング部１３は、開口部１２に対応する外径を有する円筒形状の円筒部１３ａと、磁気コンパス１の表面側で広がるフランジ形状のフランジ部１３ｂとを有し、磁気コンパス１の裏面側の底面で方位表示文字盤１４と接続されている。なお、リング状部材１３と方位表示文字盤１４は、後述するが同質部材を使うことができるため一体成型することが好ましい。具体的には、リング部１３は、透明部材により構成されており、例えばアクリル樹脂等を用いることができる。
【００３１】
フランジ部１３ｂは、表面側に方位を示す文字や方位の度数を示す目盛を有しているが、図示を省略する。リング部１３は、フランジ部１３ｂを回転操作されることによって、開口部１２の中央を中心に回転する。したがって、リング部１３が回転すると、リング部１３に接続された方位表示文字盤１４も回転する。なお、リング部１３は、図示しない突起等により上側筐体１０及び下側筐体１１の間で保持され、筐体から外れることはない。
【００３２】
方位表示文字盤１４は、透明部材により構成されており、例えばアクリル樹脂等を用いることができる。また、方位表示文字盤１４は、略円板形状を呈し、表面側若しくは裏面側に方位を表示する文字や目盛を有しており、リング部１３の円筒底面に接続される。詳しく説明すると、方位表示文字盤１４は、図７に示すように、東西南北（Ｅ，Ｗ，Ｓ，Ｎ）や、北東、南東、北西、南西（ＮＥ，ＳＥ，ＮＷ，ＳＷ）の文字と、円板の中心から放射状に延びる方位線等が、印刷、シール、切削加工等によって設けられている。なお、北を示す文字や方位線は、方位確認の基準となるため赤で表示し、他は黒で表示することが好ましい。
【００３３】
磁針１５は、磁石又は磁化された金属材料としてＳＫ鋼を用いることができ、本発明の例では細い棒状の金属板を用いるものとする。磁針１５は、表面側の一端１５ａが赤色で着色され、表面側の他端１５ｂが黒色で着色されている。また、磁針１５は、裏面側の一端１５ａが赤色で着色され、裏面側の他端１５ｂが黒色で着色されている。なお、本発明の例において着色とは、塗装、シール、印刷等の加工をすべて含むものとする。すなわち光源１７が照射する光を反射しやすく若しくは反射しにくくすることができればよい。
【００３４】
磁針１５は、北を指し示すＮ極の磁性を有する側を赤色で着色することが方位を確認するうえで重要であるため、一端１５ａをＮ極としている。なお、当然に他端１５ｂがＳ極となる。
【００３５】
支軸１６は、特に材質を問わないが、方位表示文字盤１４の円板の中心から表面側に立設し、磁針１５を回動可能に軸支することができるものであればよい。支軸１６は、リング部１３や方位文字表示盤１４と一体となって回転するためこれらと一体成型してもよく、同質材料を用いることができる。なお、本発明の例においては、金属材料であるステンレス鋼を用いるものとする。磁針１５がＳＫ鋼を用いるため、これと接触する支軸１６は、ＳＫ鋼に対して耐摩耗性能を有する材料が好ましいからである。また、磁針１５と支軸１６の間には図示しない軸受部材を設けるようにしてもよい。
【００３６】
光源１７は、赤色のＬＥＤを用いることが好ましい。暗所作業に適した赤色光を用いることにより天体観測等に最適な方位測定器となり、またＬＥＤを用いることにより消費電力を少なくすることができるため容量の小さい電池１８にて駆動することができるとともに小型化を達成することができる。なお、赤色光は人間の視覚感度が低いため暗所における目の保護等の観点で、特に天体観測等において用いる場合に目がくらむことを防止することができ好ましい。
【００３７】
光源１７は、図１及び図４に示すように、文字表示盤１４の側面を照明するように筐体内に配設されており、電池１８及びスイッチ２０と電気的に接続されている。光源１７は、スイッチ２０がＯＮ操作されることにより赤色光を文字表示盤１４の側面に照射する。
【００３８】
ここで、方位表示文字盤１４は、アクリル樹脂等の透明部材からなるため、側面から光源１７により照明されることで、光が内部で全反射されて拡散し盤面全体が明るくなる。従って、方位表示文字盤１４は、それ自体が発光したように見え、表面側及び裏面側いずれから見ても表示された文字や方位が視認しやすくなる。
【００３９】
なお、ＬＥＤを方位表示文字盤１４や磁針１５の上方、すなわち磁気コンパス１の表面側に配置した場合は、表面側からは視認しやすくなるが、裏面からは視認しにくくなるというデメリットが生じるため、方位表示文字盤１４の側面に光源１７を配置することが最も好ましい。
【００４０】
上述のように、方位表示文字盤１４が透明部材からなるため方位表示文字と磁針１５を裏面から見ることができ、方位表示文字盤１４の側面から光源１７により照明されるため方位表示文字盤１４全体が表面及び裏面ともに明るくなるため、裏面から見た場合でも適切に方位表示文字と磁針１５が照明され、夜空を見上げながら方位確認を容易とすることができる。
【００４１】
ここで磁針１５の裏面は、方位表示文字盤１４から漏れ出た光によって照明されることとなる。光源１７が赤色光であるため、磁針１５の他端１５ｂは、赤色光を反射しやすい鏡面や白色であると赤色光を反射して赤色に見えてしまう恐れがある。そうすると、裏面側から見ながら磁気コンパスを使う場合に、一端と他端が同系統の赤色に見えてしまうため、磁針の一端と他端とが識別しにくくなってしまう。
【００４２】
本発明にかかる例において、磁針１５の裏面の一端１５ａが、光源１７の照射する光を反射しやすい赤色で着色され、磁針１５の裏面の他端１５ｂが、光源１７の照射する波長の光を反射しにくい黒色で着色されているため、上述のような問題は発生しなくなる。すなわち、磁針１５の裏面に光源１７からの光が到達した際に、磁針１５の裏面の他端１５ｂにおいて光源１７から到達した光が反射されにくくなり、磁針１５の一端１５ａと他端１５ｂとが識別しやすくなることで、南北の確認を容易にすることができる。
【００４３】
なお、光源１７の照射する光を反射しやすい色と反射しにくい色は、赤色、黒色に限定されず、光源１７の波長に応じて各種の色を用いることができる。光源１７が赤色ＬＥＤであるため、他端１５ｂは、光源１７の照射する光を反射しにくい色として特に青色等の寒色又は黒色を含む暗色で着色することで上記の問題を改善することができ好ましい。なお、寒色については、赤色の反対色を含むものとし、暗色については、黒色に限定されず一端１５ａの赤色よりも暗い色を全て含むものとする。
【００４４】
また、磁針１５の表面は、裏面と同一色で着色することが好ましい。磁気コンパス１を表面と裏面から見た場合に同一の色であることがユーザに使い勝手において違和感を与えることがなくなる。また、磁針１５について、例えば塗装を行う場合などは、一端、他端をそれぞれ塗料に浸すことで塗装を簡単に行うことでき、工程簡略化など着色加工を容易とすることができる。
【００４５】
また、方位表示文字盤１４は、裏面に文字が印字されるようにしてもよい。磁気コンパス１を裏面から見た場合であっても方位表示文字を認識しやすくすることができる。具体的には、裏面から見た際に方位表示文字盤１４内部から照明されるため文字がはっきりと浮かび上がるようにすることができる。また、方位表示文字盤１４は、表面と裏面にそれぞれの面から見たときに正となるようにそれぞれの面に文字を印字してもよい。
【００４６】
また、下側筐体１１の開口部１２の周囲に方位基準目印２１を設けるようにしたことで、磁気コンパス１を裏面から見た場合であっても、方位基準目印２１によって方位の認識がしやすくなる。すなわち、裏面からであっても方位の確認の補助を適切に行うことができるようにしている。
【００４７】
上述のように、磁気コンパス１は、方位表示文字盤１４が透明部材からなるため方位表示文字と磁針１５を裏面から見ることができ、また、方位表示文字盤１４の側面から光源１７が照明するため、表面から見た場合だけでなく裏面から見た場合でも適切に方位表示文字と磁針１５が照明されるため夜空を見上げながら方位確認を容易とすることができる。
【００４８】
以上、本発明の例をもとに説明した。本発明は上述した例の内容に限定されるものではなく、本発明の要旨の範囲内において種々に変形して実施をすることが可能である。上記は例示であり、それらの各構成要素の組み合わせにいろいろな変形例が可能なこと、またそうした変形例も本発明の範囲にあることは当業者に理解されるところである。
【図面の簡単な説明】
【００４９】
【図１】本発明の例にかかる磁気コンパスの正面を示す平面図である。
【図２】本発明の例にかかる磁気コンパスの裏面を示す平面図である。
【図３】本発明の例にかかる磁気コンパスの側面を示す平面図である。
【図４】本発明の例にかかる磁気コンパスの側面から見た断面図である。
【図５】本発明の例にかかる磁気コンパスの上面を示す平面図である。
【図６】本発明の例にかかる磁気コンパスの上面から見た断面図である。
【図７】本発明の例にかかる磁気コンパスの方位表示文字盤を示す平面図である。
【符号の説明】
【００５０】
１  磁気コンパス、
１０  上側筐体、
１１  下側筐体、
１２  開口部、
１３  リング部、
１３ａ  円筒部、
１３ｂ  フランジ部、
１４  方位表示文字盤、
１５  磁針、
１５ａ  一端（Ｎ極）
１５ｂ  他端（Ｓ極）
１６  支軸、
１７  光源、
１８  電池、
１９  電池蓋、
２０  スイッチ、
２１  方位基準目印、
２２  ネジ穴、
２３  ネジ穴
【図１】
2015034790.tif 000003
【図２】
2015034790.tif 000004
【図３】
2015034790.tif 000005
【図４】
2015034790.tif 000006
【図５】
2015034790.tif 000007
【図６】
2015034790.tif 000008
【図７】
2015034790.tif 000009